(57)【要約】【課題】既存の屋上付きコンクリート造り家屋における屋上部の水漏れ防止及び断熱性向上を主眼とし、そのための効果的かつ効率的に改築方法を提供する。【解決手段】屋上部の土間コンクリート１の上方に一方向に緩やかに傾斜するほぼ水平な支持枠５を組み立てる支持枠組立工程と、該支持枠５の上に断面波形の折板１０を隙間なく並べて設置する折板設置工程と、該折板１０の上に屋上床材の支持台１４を取り付ける支持台取付工程と、該支持台１４の上に屋上床材１６を敷設する屋上床材敷設工程とを包含する改築方法とする。【選択図】図１１
2005139679.tif 000002
【特許請求の範囲】
【請求項１】
屋上部の土間コンクリートの上方に一方向に緩やかに傾斜するほぼ水平な支持枠を組み立てる支持枠組立工程と、該支持枠の上に断面波形の折板を隙間なく並べて設置する折板設置工程と、該折板の上に屋上床材の支持台を取り付ける支持台取付工程と、該支持台の上に屋上床材を敷設する屋上床材敷設工程とを包含することを特徴とする屋上部の改築方法。
【発明の詳細な説明】
【技術分野】
【０００１】
この発明は、屋上付きコンクリート造り家屋の水漏れ対策及び断熱性向上のために屋上部を改築する工事の方法に関する。
【背景技術】
【０００２】
一般の屋上付きコンクリート造り家屋の場合、屋上部については、躯体コンクリートの上に土間コンクリートを打ち、その表面にモルタルを塗って仕上げられていることが多い。また、波形スレート板を屋根材として設置している場合もあり、この種の屋根改築や改修については、特許文献１や特許文献２に開示された工法が提案されている。
【特許文献１】特開２００１−２７９８７５号公報
【特許文献２】特開２００２−１５５６０１号公報
【発明の開示】
【発明が解決しようとする課題】
【０００３】
上記のような屋上付きコンクリート造り家屋は、経年変化によるモルタルの劣化、ひび割れ等は避けられないうえ、屋上部は構造的に排水性が良くないこともあり、屋上部のモルタルのひび割れ等から雨水が土間コンクリートに浸透することによる水漏れが発生しやすかった。また、屋上付き家屋は、特に夏季において屋根部のコンクリートが日光で熱せられて室内温度が高くなるという等の問題があるにもかかわらず、波形スレート屋根については上記したようは改築工法が提案されているが、コンクリート造り家屋における屋上構成に対しての適切な改築手段は提案されていなかった。
【０００４】
そこで本発明は、既存の屋上付きコンクリート造り家屋における屋上部の水漏れ防止及び断熱性向上を主眼とし、そのための効果的かつ効率的に改築方法を提供することを課題としている。
【課題を解決するための手段】
【０００５】
上記課題に対する本発明にかかる屋上部の改築方法は、屋上部の土間コンクリートの上方に一方向に緩やかに傾斜するほぼ水平な支持枠を組み立てる支持枠組立工程と、該支持枠の上に断面波形の折板を隙間なく並べて設置する折板設置工程と、該折板の上に屋上床材の支持台を取り付ける支持台取付工程と、該支持台の上に屋上床材を敷設する屋上床材敷設工程とを包含することを特徴としている。
【発明の効果】
【０００６】
本発明の改築方法によれば、既存の土間コンクリートを解体、撤去することなく屋上部の改築を行えるので、工期が短く工事費用も安く上がり、しかも工事中も家屋に居住することができる。また、本発明の改築方法で改築された家屋は、屋上部が一方向に緩やかに傾斜した屋上床材により覆われるので、雨水が屋上床材の低位側へ円滑に排水され、雨水が土間コンクリートに浸透して水漏れすることを防止できるとともに、土間コンクリートと屋上床材との間に広い空間が形成されるので、断熱性や通風性が良好である。
【発明を実施するための最良の形態】
【０００７】
以下、図１に示す既存の屋上付きコンクリート造り家屋Ａを改築する場合を例にとって、本発明を具体的に説明する。既存家屋Ａは、屋上部がモルタルで表面仕上げされた土間コンクリート１によりフラットに形成され、屋上部の周縁は防護壁２で囲まれている。
【実施例１】
【０００８】
まず、図２に示すように、土間コンクリート１に支柱３，…を立て、その上に角鋼管４を平面視で格子状に組んだ支持枠５を組み立てる（支持枠組立工程）。その際、支持枠５はほぼ水平であるが、一方向に緩やかに傾斜させておく。この実施例では、例えば図２における手前側が低位になるように傾斜している。図３に示すように、支柱３は、下端部に形成されたフランジ部３ａにアンカーボルト６を打ち込んで土間コンクリート１に固定する。また、安定性を増すために、支柱３を土間コンクリート１に載置した鉄骨のＣ型鋼に対して固定するようにしてもよい。支持枠５の角鋼管４同士、及び角鋼管４と支柱３とは溶接によって固着連結する。
【０００９】
次いで、次の折板取付工程の前工程として、図４に示すように、後記折板１０に対応する波形形状の折板支持体８を支持枠５の上面に取り付ける。この折板支持体８の頂部には、雄ねじ棒９が上向きに突出させて設けられている。
【００１０】
そして、図５に示すように、支持枠５の上に断面波形の折板１０をその溝方向と支持枠５の傾斜方向とを揃えて隙間なく並べ、該折板を折板支持体８に固定して取り付ける（折板取付工程）。図６は折板１０を取り付けた状態を示す断面図であり、折板１０に形成されている通孔１０ａに前記雄ねじ棒９を挿通し、その雄ねじ棒９に座金１１を嵌合させてからナット１２を螺着している。隣接する折板１０同士は固定しない。
【００１１】
さらに、図６に示されているように、雄ねじ棒９のナット１２よりも上側部分に、内周部に雌ねじ部１３ａが形成された筒体１３を螺着する。螺着状態では、雄ねじ棒９の上端よりも筒体１３の上端の方が高くなっている。したがって、内周部に雌ねじ１３ａが形成された筒体１３が折板１０から上向きに突設された状態となる。また、筒体１３の長さは、筒体１３の上端位置が後記Ｃ型鋼１４と後述位置関係になるように定められている
【００１２】
次いで、図７の断面図に示すように、折板１０の上に該折板の溝方向と交差させて屋上床材の支持台１４を取り付ける（支持台取付工程）。支持台１４としてはＣ型鋼を使用している。そして、その開口側が下側になるよう折板１０の上に配置し、当該支持台１４に形成された通孔１４ａにボルト１５を上から挿通し、これを前記筒体１３の雌ねじ１３ａに螺合させて折板１０に固定する。筒体１３の上端が支持台１４の下面にほぼ接しているので、ボルト１５と雌ねじ１３ａの位置合わせが容易である。折板１０がボルトレス折板の場合はさらに取り付けが容易になる。
【００１３】
最後に、図８の断面図に示すように、支持台１４の上に該支持台と交差させて屋上床材１６を敷設する（屋上床材敷設工程）。屋上床材１６は、図９に示すように、一方の端縁には平板状の第一垂下部１６ａが形成され、他方の端縁には底面レベルが前記第一垂下部１６ａの下端レベルとほぼ同じである溝を有する第二垂下部１６ｂが形成された形状をしている。第二垂下部１６ｂの溝に隣の屋上床材１６の第一垂下部１６ａが嵌合する状態で各屋上床材１６を敷設し、ねじ式固着具１７によって支持台１４に固着する。
【００１４】
図１０は、本発明の改築方法により改築された家屋の全体斜視図、図１１はその屋上部の断面図である。改築後の家屋Ｂは、一方向に緩やかに傾斜した支持枠５の上に折板１０及び支持台１４を重ね、その上に屋上床材１６が敷設されるので、屋上部は一方向に緩やかに傾斜した屋上床材１６により覆われている。このため、雨水が屋上床材１６の上を流れて低位側へ円滑に排水される。雨水の一部は、隣接する屋上床材１６同士の間に入るが、その水は屋上床材１６の第二垂下部１６ｂの溝に受けられ、該溝に沿って低位側へ排水される。
【００１５】
この実施例の場合、屋上床材１６の上に降った雨水は該屋上床材の低位側に設けた樋２０に流れ込み、さらに、防護壁２を貫通する排水パイプ２１を通って家屋の外壁部に設けた排水枡２２に集められ、該排水枡から縦樋２３を通って地面の排水溝へ排水されるようになっている。
【００１６】
また、改築後の家屋Ｂは、土間コンクリート１と折板１０との間、及び折板１０と屋上床材１６との間に広い空気層が形成されるので、断熱性や通風性が良好で、快適な居住環境が得られる。
【産業上の利用可能性】
【００１７】
本発明は、居住用の家屋に限らず、店舗、事務所、工場等の建屋にも適用できる。
【図面の簡単な説明】
【００１８】
【図１】既存家屋の斜視図である。
【図２】支持枠組立工程を終えた状態を示す斜視図である。
【図３】支柱の固定方法を示す斜視図である。
【図４】支持枠に折板支持体を取り付けた状態を示す斜視図である。
【図５】折板取付工程の途中状態を示す斜視図である。
【図６】折板取付工程を終えた状態を示す要部の（ａ）正面断面図、及び（ｂ）側面断面図である。
【図７】支持台取付工程を終えた状態を示す要部の（ａ）正面断面図、及び（ｂ）側面断面図である。
【図８】屋上床材敷設工程を終えた状態を示す要部の（ａ）正面断面図、及び（ｂ）側面断面図である。
【図９】屋上床材の斜視図である。
【図１０】改築された家屋の斜視図である。
【図１１】改築された家屋の屋上部の断面図である。
【符号の説明】
【００１９】
Ａ  改築前の家屋
Ｂ  改築後の家屋
１  土間コンクリート
２  防護壁
３  支柱
５  支持枠
８  折板支持体
１０  折板
１４  支持台
１６  屋上床材
【図１】
2005139679.tif 000003
【図２】
2005139679.tif 000004
【図３】
2005139679.tif 000005
【図４】
2005139679.tif 000006
【図５】
2005139679.tif 000007
【図６】
2005139679.tif 000008
【図７】
2005139679.tif 000009
【図８】
2005139679.tif 000010
【図９】
2005139679.tif 000011
【図１０】
2005139679.tif 000012
【図１１】
2005139679.tif 000013